(57)【要約】【課題】  近年切り花の延命剤が多く使用される様に成って来た、その利点は３日位で水がヌルヌルに成り腐ってしまったが、切り花延命剤を使用すれば一ヶ月経っても水は綺麗で有る為、水を補充する事が出来れば、墓の花には最高に良い切り花延命処置と成る。【解決手段】  お墓の花器への自動水補充具を組み付ける事により真夏の３５度にも成る気温でも十何日もの墓の花器への水を供給出来る、自動水補充具のタンク上面を朝顔形に傾斜させて雷雨の時の雨水を花器へ流し込む事を謀り、水補充を最長期間すれば、その期間は室内の切り花と同じ様に長持ちさせる事が出来る。従って自動水補充具は墓の花の延命には欠かせない物に成った。【選択図】図９
2016188562.tif 000002
【特許請求の範囲】
【請求項１】
花器上部のその上に直接自動水補充具の水タンクを設置する事により簡単構造とする事が出来る花器への自動水補充具で有って、タンクからの水供給口のホースの長さを調整する事により花器の水位を調整する事が出来る花器への自動水補充具
【請求項２】
花器の上に設置した花器への自動水補充具の水タンクが風で飛ばされないように又落下して破損しないように水補充具の水タンクの下部に花器の内側の径に適した又花器の内側の径に適応可能に筒径が収縮する筒状の上下にＣ状に割った両割れ状の筒を花器の内側に挿入する事により又、上部は水タンクに固着する事により水タンクの落下を防止する事が出来る落下防止具付き自動水補充具
【請求項３】
磁器製及び陶器製の自動水補充具の水タンクにおいてはタンクと落下防止とを一体に作製出来ない為、磁器及び陶器製水タンクの中央部花スペース外側に上部を朝顔状にして水タンクを押さえ込む様な形状にして下部は花器の内径に適した又花器の内側径に適応可能に筒径が収縮するようにした、筒状の上下にＣ状に割った両割れ状のプラスチック製又は金属製の筒を水タンクと花器とを繋ぎ止める連結材として使用することにより落下を防止して安定、安全に花器への自動水補充が出来る自動水補充具
【請求項４】
花器への自動水補充具により一定量の水は補充できる、しかし真夏の３０何度の温度の毎日でも有りタンクの容量にも限度が有り又見た目もある、自動水補充の外に水を補充するとした場合、雷雨の雨水を花器に流し込む方法である、自動水補充具の上部の形状を朝顔形にする事によりジョウゴの様に花器に流し入れる傾斜の有る自動水補充具
【発明の詳細な説明】
【技術分野】
【０００１】本発明は墓の花器に対しての水の自動補充に関するものである
【背景技術】
【０００２】真夏のお盆の頃の気温は３０度から３５度位の日が毎日続く、その様な日が続くと墓の花も人間と同じように水をいっぱい吸って蒸散している、その為花器の水は約３日で空に成り花は枯れてしまう。【０００３】お墓の花器の水に関しては、お墓参りした後の事は全く気にしていなかったと言うのが実状でありまして自然での墓の花の延命としては雷雨による大雨での水補充以外には人間が補充しない限り枯れてしまう【０００４】近年切り花の長持ち剤として水がいつまでも腐らないで切り花も威勢良く咲く切り花延命剤が多く使用される様に成った、しかし威勢良く咲くと言う事は水をいっぱい吸うと言う事なので、花器に水のみを使用した時より水吸がはげしく逆に２日位で水不足の為に切り花が枯れてしまう事に成る
【発明の開示】
【発明が解決しようとする課題】
【０００５】真夏の墓の花器に飾った花は太陽に照らされると水の吸い上げが間に合わない為にしおれ気味に成る、しかし太陽の日差しが弱く成るとしおれ気味だった花はシャンと元に戻る、それをくりかえして真夏の花にとって過酷な環境に有っても水を補充すれば室内に飾った花と同じように咲き続ける事が出来る
【課題を解決する為の手段】
【０００６】お墓の花器への水補充具の為の水タンクの組み付けは多少の水こぼれは座敷では無いので許される、墓の花器の上部に水補充タンクを組み付ける事により、タンクへの水補充口又は花器への水補給口に組み付けたホースの長さを調節する事により花器の水位を決める事が出来る。
【０００７】墓の花器への水補充の為のタンクは光を遮断する素材でなくてはならない、光を通すとタンク内面に苔が生えてしまうからで有る
【０００８】花器への水補充が終了してタンクが空に成った場合など風により吹き飛ばされないように又、いたずらされて落下して破損しないように対策を講じなければならない、水補充具の水タンクの下部に花器の内側の径に適した又花器の内側の経に適応可能に筒径が収縮する筒状の上下にＣ状に割った両割れ状の筒を花器の内側に挿入する事により又上部は水補充タンクに固着する事により水タンクの落下を防止する事が出来る。
【０００９】磁器製及び陶器製の自動水補充具の水タンクにおいてはタンクと落下防止材とを一体に製造出来ない為磁器及び陶器製水タンク中央空洞部外側に上部を朝顔状にして水タンクを押さえ込む様な形状にして下部は花器の内径に適した又、花器の内側の径に適応可能に筒経が収縮する様にした、筒状の上下にＣ状に割った両割れ状のプラスチック又は金属製の筒を水タンクと花器とを繋ぎ止める連結材として使用する事により落下を防止して安定、安全に花器への自動水補充が出来る。
【００１０】花器への自動水補充具により一定量の水は補充出来る、しかし真夏の３０何度の気温の毎日でも有りタンクの容量にも限度が有る、又見た目も有り、自動水補充の外に水を補充出来る方法は雷雨による雨水を水補充具のタンクの形状を朝顔形にする事によりジョウゴの様に花器に流し入れる形状の方法が有る。
【発明の効果】
【００１１】自動水補充タンクの素材は磁器又は陶器製が長持ちする点では望ましい。花器からのタンク落下防止材の素材はプラスチック又は金属製に成る、花器の上に水補充タンクを丸洗いしてタンクに水を蓄えて花器に組み付けるだけで機能する。
【００１２】全国に無数に有るお墓にまで普及させる為には耐久性に問題があるがプラスチック製で有れば安価に提供できる、できるだけ長持ちする素材で製造すれば早い普及が望める。
【背景技術】
【００１３】［０００４］で記しました様に切り花の延命剤が多く使用されるように成って来た、この切り花延命剤の特に良い点は今まで毎日切り花の水を取り替える事が切り花を管理する者の美徳とされてきたが、切り花延命剤を使用した場合は水替えをしては駄目で水は補充するのみです、真夏でも一ヶ月経っても水は綺麗なままで、自動水補充具のタンク形状を真夏の雷雨の雨水を花器に流し込む事を計り切り花延命剤を併用すれば室内の花と大差ない切り花の長持ちが期待出来る。
【発明を実施するための最良の形態】
【００１４】墓の花器への自動水補充タンクの素材は磁器又は陶器が望ましい真夏の陽射しを浴びてタンク内の水も高温に成るためタンク上面に日除けを組み付けると植物に良い環境と成る
【図面の簡単な説明】
【００１５】
【図１】自動水補充具タンクの上面図。
【図２】自動水補充具タンクの正面からの斜視図
【図３】自動水補充具タンクの正面からの側面図
【図４】自動水補充具タンクの底面図
【図５】自動水補充具タンクの側面図
【図６】自動水補充具タンクを組み付ける一般的な形の墓の花器の側面図
【図７】磁器製又は陶器製の自動水補充具水タンクと墓の花器とを組み付ける落下防止具の正面の側面図
【図８】磁器製又は陶器製の自動水補充具水タンクと墓の花器とを組み付ける落下防止具の背面側面図
【図９】自動水補充具水タンクと落下防止具とを一体物として作成した場合の図で有り花器が小さい場合にその花器に対応組み付けする為の８の切り込み及び落下防止を収縮させるための５ａ及び５ｂを示した正面図
【図１０】自動水補充具水タンクと落下防止具とを一体物として製作した場合の図で有り花器が小さい場合にその花器に対応組み付けをするための８の切り込み及び落下防止具を収縮させた場合のその仕組みを示した側面図
【図１１】花器の水位を定めるためのホースを示した図
【符号の説明】
【００１６】１    自動水補充具のタンク
２    自動水補充具の切り花設置スペース
３ａ  花器の水位を定めるためのホースを設置する為のスペースの突起
３ｂ  花器の水位を定める為のホースを組み付けする為の穴及びタンクへ給水又は花器への水を補充する為の穴
４    お墓の花器の一般的な形
５    お墓の花器への自動水補充具本体タンクと落下防止具とを一体物として作製出来ない場合に使用する落下防止具
５ａ  お墓の花器の内径が落下防止具の外径より小さい場合に５ｂ辺と内側又は外側に交互に合わさって収縮する収縮辺
５ｂ  お墓の花器の内径が落下防止具の外径より小さい場合に５ａ辺と内側又は外側に交互に合わさって収縮する収縮辺
６    お墓の花器への自動水補充具に花器の水位を調整する為のホースを組み付ける為のスペースと３ａの突起の邪魔に成る為、落下防止具から取り除く部分を示した部分
７    お墓の花器への自動水補充具が落下防止とを一体物として作製出来ない場合の落下防止具の自動水補充具本体を花器に押さえ込む為の落下防止具の曲辺部
８    お墓の自動水補充具のタンクと落下防止具とが一体物として作製出来る場合においての落下防止具部を収縮させた場合の自動水補充具本体のタンクと落下防止具との接続部を示した、収縮を容易にする為の切り込み
９    お墓の花器の水位を定める為のホース
１０  お墓の花器の上面と自動水補充具底部との滑りによる落下を防止する為の自動水補充具の縁
１１  お墓の花器への自動水補充具タンクと落下防止具とを一体物として作製する場合の落下防止部分
【図１】
2016188562.tif 000003
【図２】
2016188562.tif 000004
【図３】
2016188562.tif 000005
【図４】
2016188562.tif 000006
【図５】
2016188562.tif 000007
【図１１】
2016188562.tif 000008
【図６】
2016188562.tif 000009
【図７】
2016188562.tif 000010
【図８】
2016188562.tif 000011
【図９】
2016188562.tif 000012
【図１０】
2016188562.tif 000013